(57)【要約】      （修正有）【課題】乳幼児の生理的変化に対応し、より良い睡眠環境を導き出す発汗性能に優れた枕を得る。【解決手段】頭頂支持部９と首当接部１０との間に凹み部７を設けてなる乳幼児用枕１であって、頭頂支持部９を水分吸排出機能を有する仕切り布４により上下に吸湿機能室１１と排湿機能室１２に分け、凹み部７、吸湿機能室１１と首当接室１０とに吸湿性綿を充填し、排湿機能室に柔軟なパイプ状詰め物１５を充填した。水分吸排出機能は、湿気が充填された吸湿性綿よりパイプ状詰め物の充填された排出機能室に向かって水分を発散させる。【選択図】図２
2006239047.tif 000002
【特許請求の範囲】
【請求項１】
頭頂支持部と首当接部との間に凹み部を設けてなる乳幼児用枕であって、頭頂支持部を水分吸排出機能を有する仕切り布により上下に吸湿機能室と排湿機能室に分け、凹み部、吸湿機能室と首当接室とに吸湿性綿を充填し、排湿機能室に柔軟なパイプ状詰め物を充填してなる枕。
【請求項２】
仕切り布が、吸湿性、速乾性に優れた水分吸排出機能を有する布であって、吸湿性綿に含まれた湿気を、パイプ状詰め物の充填された排湿機能室に向って発散させることを特徴とする請求項１に記載の枕。
【請求項３】
仕切り布が、横断面形状Ｗ形ポリエステルフィラメントを織成した布である請求項１または請求項２に記載の枕。
【請求項４】
柔軟なパイプ状詰め物が、軟質ポリエチレン及びまたはポリプロピレンよりなる、直径３〜７ｍｍ、カット長５〜１０ｍｍ、肉厚０．２〜０．５ｍｍのパイプ状詰め物である請求項１乃至請求項３のいずれかに記載の枕。
【請求項５】
排湿機能室に充填される柔軟なパイプ状詰め物の充填容積が、吸湿機能室に充填される吸湿性綿の充填容積以下である請求項１乃至請求項４のいずれかに記載の枕。 
【発明の詳細な説明】
【技術分野】
【０００１】
本発明は、生後間もない新生児から３歳児ぐらいまでの乳幼児用枕に関する。
【背景技術】
【０００２】
乳幼児用枕としては、乳幼児の後頭部が圧迫されて扁平になるのを防止する所謂ドーナッツ型枕が広く使用されている。これらのドーナッツ型枕は、肌になじみの良い柔軟な綿を詰め物として形成されているのが普通である。しかしながら、身体が未成熟であり、生理的変化が激しく、発汗量のきわめて多い乳幼児には、枕にも特別の配慮が必要である。
【０００３】
成人用の枕としては、快適な睡眠を得るための種々の工夫がなされており、枕本体を仕切り布によって小室に分割し、分割された小室内に異なる充填材を収納した枕は知られている。（特許文献1参照。）また、枕内部を仕切り、その一部にカットパイプ等の充填物を充填した枕も知られている。（特許文献２参照。）  しかしながら、これらの枕は、いずれも成人を対象とするものであって、乳幼児が使用することの出来るものではない。
【特許文献１】実用新案登録第３０７６７０６号公報
【特許文献２】実開平６−１７５５９号公報
【発明の開示】
【発明が解決しようとする課題】
【０００４】
乳幼児は、大人より睡眠中もよく動き、発汗量も多いことが特徴である。乳幼児は新陳代謝が非常に活発なため、沢山の栄養と水分とが必要であり、大人の３倍もの水分を摂取する。そのため、発汗量も多く、大人の２〜３倍の汗をかき、特に寝付くとき、表面部位の発汗が増えるので、吸汗し、汗の発散効果の高い枕が求められている。また、生後３ヶ月位までは体温調節機能が未発達なので、汗の水分で身体が冷え、体温が低下することが原因で寝冷えにつながることもある。また、乳幼児用枕は、直接皮膚に触れるので、弱い皮膚を刺激しない柔らかさも必要である。
これに鑑みて本発明は、乳幼児の生理的変化に対応し、より良い睡眠環境を導き出す枕、即ち発汗性に優れ肌触りのよい枕を提供することを目的とする。
【課題を解決するための手段】
【０００５】
本発明の枕は、頭頂支持部と首当接部との間に凹み部を設けてなる乳幼児用枕であって、頭頂支持部を水分吸排出機能を有する仕切り布により上下に吸湿機能室と排湿機能室に分け、凹み部、吸湿機能室と首当接室とに吸湿性綿を充填し、排湿機能室に柔軟なパイプ状詰め物を充填した。仕切り布は、吸湿性、速乾性に優れた、湿気が充填された吸湿性綿よりパイプ状詰め物の充填された排湿機能室に向って水分を発散させる布であって、横断面形状Ｗ形ポリエステルフィラメントを織成した布を用いることが出来る。柔軟なパイプ状詰め物は、軟質ポリエチレン及びまたはポリプロピレンよりなる直径５〜７ｍｍ、カット長５〜１０ｍｍ、肉厚０．２〜０．５ｍｍのパイプ状詰め物であることが好ましい。また、排湿機能室に充填される柔軟なパイプ状詰め物の充填容積は、吸湿機能室に充填される吸湿性綿の充填容積以下とする。
【発明の効果】
【０００６】
本発明の乳幼児用枕は、直接肌に触れる部分には、肌触りの良い綿素材を使用するが、肌に触れることのない排湿機能室を水分吸排出機能を有する仕切り布によって区画し、この部分に特定の柔軟なパイプ状詰め物を充填することによって、乳幼児の頭部からの発汗をまず柔軟な吸湿性綿で吸収し、仕切り布を通して汗をパイプ層に吸い上げ、迅速に気化させるものであるので、皮膚に優しく、乳幼児の生理的変化に適した枕である。
【発明を実施するための最良の形態】
【０００７】
本発明の枕１を図面を参照して説明する。  図１Ａは、丸型の乳幼児用枕１、図１Ｂは長方形の乳幼児用枕1を示す平面図であるが、枕１の平面形状はこれら丸型或いは長方形に限らず任意に選定することが出来る。図１ＡのＩ−Ｉ線断面図である図２及び枕１の部分切欠斜視図である図３Ａ，Ｂに示すごとく、乳幼児用枕１は、同形の表側地２と裏側地３とその中間の仕切り布４とを三重に重ね、その周縁を縫製５し、袋体を構成すると共に、平面視中央位置から使用時の肩側に近づいた位置を環状に、表裏側地２，３間にマチ布６を設け、或いは設けずに詰め物と共に縫着し、環状区画の内部を凹み部７、即ち乳幼児の後頭部支え部とする。凹み部７は、その周囲に比して後述する詰物量を少なくし、凹みを形成している。枕表側地２、枕裏側地３としては、綿素材の経編メリヤスのような肌触りが良く、通気性に富んだ素材を使用する。
【０００８】
本発明の乳幼児用枕１は、図１Ａ，Ｂに示すごとく、前記凹み部７の左右に延びる分画線８，８によって、後頭部を支える凹み部７を中心にして頭頂部を支える頭頂支持部９と枕使用者の肩側に近い首当接部１０とに分けている。また、図１Ｃに示すごとく、分画線８を、凹み部７に近接した直線、または図１Ｄに示すごとく、凹み部７に接した直線８のいずれかとして頭頂支持部９と首当接部１０を有する枕１を構成することも出来る。
分画線８，８における構成の第一の例は、図３Ａに示す如く表側地２、仕切り布４、裏側地３を重ねた状態で表側地２と仕切り布４との間に詰め物１４を置き、表側地２から裏側地３までキルトしている。表裏側地２，３間に介在する仕切り布４は、頭頂支持部９内のみとしても、或いは枕全面に延在しても良い。頭頂支持部９内の仕切り布４が分画線８，８を越え首当接部１０内に及んでいるときは、仕切り布４は、表側地２または裏側地３（図２に図示）と重ね合わせた状態として使用される。従って、枕１の内部が分画線８、８及び仕切り布４によって、凹み部７を除いて３室に分割されることになる。
【０００９】
第２の例として次の如き構成のものがある。この縫製構造は、仕切り布４を表側地２及び裏側地３と同一形状に裁断するか、仕切り布４を頭頂支持部９から分画線８までの大きさとし、仕切り布４と裏側地３とを分画線８の位置で一体に縫着すると共に、上記のように凹み部７を環状に縫着する。この縫製により表側地２の下面は頭頂支持部９から首当接部１０まで連続した吸湿機能室１１となり、同室１１の頭頂支持部９の下位には排湿機能室１２が作られる。頭頂支持部９から首当接部１０まで連続した吸湿機能室には詰め物１４が、排湿機能室１２にはパイプ状詰め物１５が封入される。即ち、枕頭頂支持部９は仕切り布４で吸湿機能室１１、排湿機能室１２とに上下に分割され、首当接部１０は、上側が表側地２よりなり、下側が裏側地３及び仕切り布４よりなるものとする。仕切り布４としては、後述するように、片面は水分を吸着し、他面で水分を発散させる布を使用し、吸湿機能室１１に水分を吸着する面が位置し、排湿機能室１２を形成する面に水分を発散させる面が位置するように用いる。枕１の区画された各室には、後述する詰め物を充填後、枕１の外周縁で枕表側地２、仕切り布４、枕裏側地３を一体に縫着する。
【００１０】
また、第３の縫製構造は、丸型枕の部分切欠図である図３Ｂに示すように、枕頭頂支持部９を吸湿機能室１１、排湿機能室１２に仕切り布４で上下に分割すると共に分画線８の位置にマチ布１３を設け、枕内部を、凹み部７を除き３室に区画すると共に、図３Ｂに示すように、マチ布１３は、仕切り布４と当接する端縁において仕切り布４と縫合１３ａし、表裏側地２，３とも上下両縁で一体に縫製する。
【００１１】
更に、図４に示すような頭頂支持部９にマチ布を有する形状としても良い。図４Ａに示すように、頭頂支持部９に、頭頂を中心として枕１の周縁に沿って左右に延びるバルーン形状の頭頂部マチ布１６を表側地２と裏側地３との間に縫着する。この構成の枕１は、図４ＡのII−II線断面図である図４Ｂに示すように、枕頭頂支持部９は、仕切り布４で枕頭頂支持部９を吸湿機能室１１、排湿機能室１２に上下に分割すると共に、吸湿機能室１１、排湿機能室１２はいずれも頭頂部マチ布１６の部分で外気と接することになる。頭頂部マチ布１６は、表裏側地２，３と同様の通気性に富んだ布地、または仕切り布４と同様の後述する水分吸排出機能を有する布を、水分を発散する面を外気に向けて用いる。このようなマチ布を有する構成の枕１は、頭頂部マチ布１６部分が外気と接しているので、吸湿機能室１１、排湿機能室１２からの水分の発散をより効果的に行うことが可能となる。
【００１２】
次に、枕内部の詰め物について説明する。枕使用時に乳幼児用枕１の乳幼児の頭に当接する部分、即ち凹み部７、枕頭頂支持部９の吸湿機能室１１、首当接部１０の詰め物１４としては、柔らかな肌触りで吸汗効果のある綿、ポリエステル綿等を使用する。枕頭頂支持部９の排湿機能室１２には、パイプ状の詰め物１５を充填する。パイプ状詰め物１５は、排湿機能室１２内の空気の流通を良好にすると共に吸湿機能室１１、首当接部１０内の湿気も吸引し、枕表面、即ち吸湿機能室１１及び首当接部１０で吸収された水分を気化させ、水分の発散を促進する。首当接部１０は、分画線８，８に沿って表側地２、仕切り布４、裏側地３を一体に縫着するか、或いはマチ布１３で分画しているので、枕頭頂支持部９の排湿機能室１２とは別室として形成され、首当接部１０へパイプ状詰め物１５が混入することは無く、毛髪のない首筋部の皮膚を肌触りの良い柔らかな素材で保護することが出来る。
【００１３】
本発明の特徴は、枕１の上記構造と、仕切り布４及び枕頭頂支持部９の排湿機能室１１に充填するパイプ状詰め物１５の材質を選択し、汗の迅速な吸収、発散を実現したことにある。仕切り布４としては、吸湿性、速乾性に優れた水分吸排出機能を有する布であって、吸湿性綿に含まれた湿気を、パイプ状詰め物の充填された排湿機能室に向って発散させる布を使用する。例えば、スポーツ用衣料で使用されている横断面形状Ｗ形のポリエステルフィラメントを織成した、片面は水分を吸着し、他面で水分を発散させる布（商品名アクアジョブ，旭化成株式会社製）を使用することができる。この布の繊維は、一般のポリエステル糸の場合と較べ、毛細管効果が高いため、水分の粒が細かくなり、広範囲に素早く拡散され、気化される。この仕切り布４を、吸汗面が柔らかな綿素材詰め物１４に接し、水分の発散面がパイプ状詰め物１５と接するような状態で使用すると、綿素材詰め物１４の吸収した汗の水分を、毛細管効果によってパイプ状詰め物側に吸い上げ、パイプ状詰め物１５は空気の流通効果が優れるほか、乳幼児の頭の動きによるパイプ状詰め物１５のポンプ効果と相俟って、汗の水分を迅速に外気中に発散させることが出来る。
【００１４】
パイプ状詰め物１５としては、軟質ポリエチレンまたはポリプロピレンパイプをカットして得られる柔軟なパイプ状詰め物で、直径３〜７ｍｍ、カット長５〜１０ｍｍ、肉厚０．２〜０．５ｍｍのものを好ましく使用することが出来る。パイプ状詰め物１５のこれらの値は、実際に触感、通気、排気状態を調べて決定した。また、枕頭頂支持部９の吸湿機能室１１に充填する詰め物１４と、排湿機能室１２に充填するパイプ状詰め物１５の充填容積については、乳幼児用の枕であり、柔らかさが不可欠の要件であるため、パイプ状詰め物１５の充填容積は吸湿性綿詰め物１４の充填容積以下であることが好ましい。
【産業上の利用可能性】
【００１５】
上記したように、本発明の乳幼児用枕は、仕切り布とパイプ状詰め物を組み合わせて使用し、直接肌に接する部分には柔らかな吸湿性素材を使用しているので、首筋、肩共に痛みを感じることは全く無く、乳幼児の活発な動きによってパイプ状詰め物は通気を促すポンプ効果も有するので、多量の汗を迅速に逃がし、快適な睡眠を得ることができる。
【図面の簡単な説明】
【００１６】
【図１】Ａは、丸型乳幼児用枕、Ｂは、長方形乳幼児用枕の平面図、Ｃ、Ｄは、仕切り線８を直線とした丸型乳幼児用枕の平面図である。
【図２】図１ＡのＩ−Ｉ線断面図である。
【図３】Ａは、図１Ａの丸型乳幼児用枕の部分切欠斜視図、Ｂは、分画線部分にマチ布を設けた丸型乳幼児用枕の部分切欠斜視図である。
【図４】Ａは、頭頂部マチ布を有する丸型乳幼児用枕の斜視図、Ｂは、ＡのII−II線断面図である。
【符号の説明】
【００１７】
１  枕
２  表側地
３  裏側地
４  仕切り布  
５  縫製  
６、１３  マチ布
７  凹み部    
８  分画線            
９  頭頂支持部      
１０  首当接部                
１１  吸湿機能室    
１２  排湿機能室  
１３ａ  縫合
１４  詰め物
１５  パイプ状詰め物
１６  頭頂部マチ布 
【図１】
2006239047.tif 000003
【図２】
2006239047.tif 000004
【図３】
2006239047.tif 000005
【図４】
2006239047.tif 000006